【手続補正書】
【提出日】平成19年12月12日(2007.12.12)
【手続補正１】
【補正対象書類名】明細書
【補正対象項目名】特許請求の範囲
【補正方法】変更
【補正の内容】
【特許請求の範囲】
【請求項１】  記憶層（１５）に記憶された情報を消去放射線（１７）によって消去するための消去手段（１１、１２、１４）を備えた、記憶層（１５）に記憶された情報を読み出す装置であって、その際に消去手段（１１、１２、１４）が、アウトプットできる消去放射線（１７）が第一および第二の強度を呈することができそして第一の強度が第二の強度よりも大きいように構成されている、上記装置において、
消去手段（１１、１２、１４）が、記憶層（１５）上を消去ランプが一往復することで記憶層（１５）に残っている情報を消去する強さである第一の強度を持つ消去放射線（１７）を放射できる消去ランプを有することを特徴とする、上記装置。
【請求項２】  消去手段（１１、１２、１４）が、第一の像の情報を読み出した直後に第一の強度の消去放射線（１７）をアウトプットするように構成されている、請求項１に記載の装置。
【請求項３】  消去手段（１１、１２、１４）が、第一の強度を持つ消去放射線（１７）をアウトプットした後第二の強度を持つ消去放射線（１７）をアウトプットするように構成されている、請求項１または２に記載の装置。
【請求項４】  消去手段（１１、１２、１４）が、記憶層（１５）に記憶された第一の像の情報の読み出しと記憶層（１５）中での第二の像の情報の後続の記憶との間に、記憶層（１５）上に消去放射線（１７）をアウトプットするように構成されている、請求項１〜３のいずれか一つに記載の装置。
【請求項５】  消去手段（１１、１２、１４）を制御するための制御手段（１３）を備えており、この制御手段は消去放射線（１７）が記憶層（１５）にアウトプットされるスイッチオンの状態と消去放射線（１７）が記憶層（１５）にアウトプットされないスイッチオフの状態とに切替ることができる、請求項１〜４のいずれか一つに記載の装置。
【請求項６】  消去手段（１１、１２、１４）が、運転中に記憶層（１５）に情報を記憶する間に、第二の強度を持つ消去放射線（１７）が記憶層（１５）にアウトプットできるように構成されている、請求項１〜５のいずれか一つに記載の装置。
【請求項７】  消去手段（１１、１２、１４）が第一の強度を持つ消去放射線をアウトプットするための第一消去源（１１）並びに第二の強度の消去放射線（１７）をアウトプットのための第二消去源（１２、１４）を有する、請求項１〜６のいずれか一つに記載の装置。  
【請求項８】  消去手段（１１、１２、１４）が平面的に形成された消去源（１２）を有し、該消去原の平面が記憶層（１５）に平行して配置されている、請求項１〜７のいずれか一つに記載の装置。
【請求項９】  第二の消去源（１２）が平面的に構成された消去源である、請求項７あるいは８に記載の装置。
【請求項１０】  消去放射線（１７）をアウトプットのための平面が少なくとも記憶層（１５）の大きさを有する、請求項８または９に記載の装置。
【請求項１１】  消去手段（１１、１２、１４）が消去源（１４）有し、その消去源が記憶層（１５）と並んで横に配置されている、請求項１〜７のいずれか一つに記載の装置。
【請求項１２】  横に配置された消去源（１４）から放射される消去放射線（１７）を反射する反射器（１６）を有し、そしてその反射器（１６）はそれによって反射された消去放射線（１７）が運転時に記憶層（１５）に向けられる、請求項１１に記載の装置。    【請求項１３】  記憶層（１５）に情報を記憶するのに役立つ記憶放射線（２５）を感知する感知手段（２２）を有する、請求項１〜１２のいずれか一つに記載の装置。
【請求項１４】  感知手段（２２）が制御手段（１３）と接続されている、請求項５または１３に記載の装置。
【請求項１５】  感知手段（２２）が光ダイオード（３０）、および記憶放射線（２５）を、光ダイオード（３０）によって感知することができる放射線に変換する変換層（３１）を有する、請求項１３または１４に記載の装置。
【請求項１６】  レントゲン用カートリッジとして形成されている、請求項１〜１５のいずれか一つに記載の装置。
【請求項１７】  消去手段（１１、１２、１４）が消去ランプ（１１）だけを有し、その消去ランプが第一および第二の強度を有する消去放射線（１７）をアウトプットできる、請求項１〜１５のいずれか一つに記載の装置。
【請求項１８】  記憶層（１５）に記憶された情報を第一および第二の強度を呈する消去放射線（１７）によって消去し、その際その第一の強度が第二の強度より強い、記憶層（１５）に記憶された情報を読み出す方法において、消去ランプ（１１）が第一強度の消去放射線（１７）を放射でき、その際第一の強度が記憶層（１５）上を消去ランプ（１１）が一往復することで記憶層（１５）に残っている情報を消去する程の強さであること特徴とする、上記方法。
【手続補正２】
【補正対象書類名】明細書
【補正対象項目名】０００２
【補正方法】変更
【補正の内容】
【０００２】
【従来の技術】
特に医療目的のために、レントゲン線によって対象物、特に患者から記憶層に潜像として記憶される像を得る。この場合、記憶層としては殆ど燐層が使用される。記憶層に記憶されたレントゲン線像を読み出すために記憶層は放射線源によって励起される。さらに記憶層はこの励起のために、記憶されたレントゲン線像に相応する強度を有する光を発する。記憶層によって発せられる光は感受手段によって感受され、次いで電気信号に変換し、その結果記憶層に記憶されたレントゲン線像を次いで視認できるようにすることができる。レントゲン線像は例えば直接的にモニターに表示するかまたはレントゲン像のために特別に使用可能なレントゲン写真用フィルムに現像することができる。記憶層からのレントゲン線像を読み出した後に、別のレントゲン線像を記憶できるように、この記憶は消去装置によって消去される。
【手続補正３】
【補正対象書類名】明細書
【補正対象項目名】００２６
【補正方法】変更
【補正の内容】
【００２６】
図６は更にレントゲン線２５を検出するためのセンサー（２２）を図示している。センサー（２２）はシンチレーション層（３１）が上に配置されている光ダイオード（３０）を含有している。レントゲン源（２１）から発せられるレントゲン線（２５）はこのシンチレーション層（３１）の上に達する。シンチレーション層（３１）は波長変換を行う。レントゲン線（２５）は光ダイオード（３０）によって検出され得る波長を有する線に変換される。センサー（２２）は制御手段（１３）に連結されている。レントゲン源（２１）によりレントゲン線（２５）をアウトプットすることでセンサー（２２）から発せられる情報は第二の消去用ランプ（１２）を制御するために制御手段（１３）によって利用することができる。この第二の消去用ランプ（１２）は図６の実施例では、図１との関係で既に説明した様に、燐プレート（１５）の下側に配置されている。
【手続補正４】
【補正対象書類名】明細書
【補正対象項目名】００２７
【補正方法】変更
【補正の内容】
【００２７】
第二の消去用ランプ（１２）がそれのスイッチオンの状態で存在する場合には、該ランプ（１２）が弱い消去線（１７）を燐プレート（１５）の方向に発し、燐プレート（１５）においてレントゲン線像を再度記憶するためにレントゲン源（２５）がレントゲン線（２５）を発することがセンサー（２２）によって確認される時に、第二の消去用ランプ（１２）は制御手段（１３）によってスイッチオフの状態にされていてもよい。この様にして第二の消去用ランプの自動的スイッチオフを行うことができ、その結果新しいレントゲン線像の撮影の間に第二の消去放射線（１７）で消去は行われない。
【手続補正５】
【補正対象書類名】明細書
【補正対象項目名】図面の簡単な説明
【補正方法】変更
【補正の内容】
【図面の簡単な説明】
【図１】
図１は本発明のレントゲン用カートリッジの一つの実施例を図示している。
【図２】
図２は図１のレントゲン用カートリッジの概略的断面図を図示している。
【図３】
図３は本発明のレントゲン用カートリッジの別の実施例を図示している。
【図４】
図４は図３のレントゲン用カートリッジの概略的断面図を図示している。
【図５】
図５は読み取りヘッドを備えた本発明のレントゲン用カートリッジが配置されているレントゲン台の概略図である。
【図６】
図６は読み取りヘッドを備えた本発明のレントゲン用カートリッジの概略図である。